【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
複数の広告と地図とを含む広告紙面の組版を行う組版サーバにおいて、
広告主の店舗の所在地情報と広告の配布エリアを指定するエリア情報とを含む広告データを管理する第一の管理手段と、
地図データを管理する第二の管理手段と、
広告紙面を配布すべきエリアに応じて、前記第一の管理手段により管理される広告データに含まれるエリア情報を用いて、当該広告紙面に掲載する複数の広告データを抽出する抽出手段と、
前記抽出手段により抽出された複数の広告データに含まれる広告主の店舗それぞれの所在地情報を用いて、前記第二の管理手段により管理される地図データから、当該複数の広告主の店舗が地図内に含まれる縮尺の地図情報を出力する出力手段と、
前記抽出手段により抽出された複数の広告データと、前記出力手段により出力された地図情報とを用いて、複数の広告と地図とを含む広告紙面の組版を行う組版手段と
を有することを特徴とする組版サーバ。
【請求項２】
前記組版手段は、前記地図内における広告主の店舗の位置に応じて、前記広告紙面における前記複数の広告の配置位置をそれぞれ決定することを特徴とする請求項１に記載の組版サーバ。
【請求項３】
前記組版手段は、前記広告紙面の中央に前記地図を配置し、当該地図の周辺に前記複数の広告をそれぞれ配置することを特徴とする請求項１または２に記載の組版サーバ。
【請求項４】
前記組版手段は、前記広告紙面の中央に前記地図を配置するものであり、当該配置した地図内における広告主の店舗の位置に応じて、当該地図の周辺にそれぞれ対応付けて前記複数の広告の配置位置をそれぞれ決定し、当該決定した配置位置に複数の広告をそれぞれ配置することを特徴とする請求項１乃至３のいずれか１項に記載の組版サーバ。
【請求項５】
複数の広告と地図とを含む広告紙面の組版を行う組版サーバにおける制御方法において、
広告主の店舗の所在地情報と広告の配布エリアを指定するエリア情報とを含む広告データを管理する第一の管理ステップと、
地図データを管理する第二の管理ステップと、
広告紙面を配布すべきエリアに応じて、前記第一の管理ステップにより管理される広告データに含まれるエリア情報を用いて、当該広告紙面に掲載する複数の広告データを抽出する抽出ステップと、
前記抽出ステップにより抽出された複数の広告データに含まれる広告主の店舗それぞれの所在地情報を用いて、前記第二の管理ステップにより管理される地図データから、当該複数の広告主の店舗が地図内に含まれる縮尺の地図情報を出力する出力ステップと、
前記抽出ステップにより抽出された複数の広告データと、前記出力ステップにより出力された地図情報とを用いて、複数の広告と地図とを含む広告紙面の組版を行う組版ステップと
を含むことを特徴とする制御方法。
【請求項６】
複数の広告と地図とを含む広告紙面の組版を行う組版サーバにおいて実行可能なプログラムであって、
広告主の店舗の所在地情報と広告の配布エリアを指定するエリア情報とを含む広告データを管理する第一の管理手段、
地図データを管理する第二の管理手段、
広告紙面を配布すべきエリアに応じて、前記第一の管理手段により管理される広告データに含まれるエリア情報を用いて、当該広告紙面に掲載する複数の広告データを抽出する抽出手段、
前記抽出手段により抽出された複数の広告データに含まれる広告主の店舗それぞれの所在地情報を用いて、前記第二の管理手段により管理される地図データから、当該複数の広告主の店舗が地図内に含まれる縮尺の地図情報を出力する出力手段、
前記抽出手段により抽出された複数の広告データと、前記出力手段により出力された地図情報とを用いて、複数の広告と地図とを含む広告紙面の組版を行う組版手段
として前記組版サーバを機能させることを特徴とするプログラム。
【請求項７】
情報処理装置と複数の広告と地図とを含む広告紙面の組版を行う組版サーバとが通信可能な組版システムにおいて、
広告主の店舗の所在地情報と広告の配布エリアを指定するエリア情報とを含む広告データを管理する第一の管理手段と、
地図データを管理する第二の管理手段と、
広告紙面を配布すべきエリアに応じて、前記第一の管理手段により管理される広告データに含まれるエリア情報を用いて、当該広告紙面に掲載する複数の広告データを抽出する抽出手段と、
前記抽出手段により抽出された複数の広告データに含まれる広告主の店舗それぞれの所在地情報を用いて、前記第二の管理手段により管理される地図データから、当該複数の広告主の店舗が地図内に含まれる縮尺の地図情報を出力する出力手段と、
前記抽出手段により抽出された複数の広告データと、前記出力手段により出力された地図情報とを用いて、複数の広告と地図とを含む広告紙面の組版を行う組版手段と
を有することを特徴とする組版システム。
【請求項８】
情報処理装置と複数の広告と地図とを含む広告紙面の組版を行う組版サーバとが通信可能な組版システムにおける制御方法において、
広告主の店舗の所在地情報と広告の配布エリアを指定するエリア情報とを含む広告データを管理する第一の管理ステップと、
地図データを管理する第二の管理ステップと、
広告紙面を配布すべきエリアに応じて、前記第一の管理ステップにより管理される広告データに含まれるエリア情報を用いて、当該広告紙面に掲載する複数の広告データを抽出する抽出ステップと、
前記抽出ステップにより抽出された複数の広告データに含まれる広告主の店舗それぞれの所在地情報を用いて、前記第二の管理ステップにより管理される地図データから、当該複数の広告主の店舗が地図内に含まれる縮尺の地図情報を出力する出力ステップと、
前記抽出ステップにより抽出された複数の広告データと、前記出力ステップにより出力された地図情報とを用いて、複数の広告と地図とを含む広告紙面の組版を行う組版ステップと
を含むことを特徴とする制御方法。
【請求項９】
情報処理装置と複数の広告と地図とを含む広告紙面の組版を行う組版サーバとが通信可能な組版システムにおいて実行可能なプログラムであって、
広告主の店舗の所在地情報と広告の配布エリアを指定するエリア情報とを含む広告データを管理する第一の管理手段、
地図データを管理する第二の管理手段、
広告紙面を配布すべきエリアに応じて、前記第一の管理手段により管理される広告データに含まれるエリア情報を用いて、当該広告紙面に掲載する複数の広告データを抽出する抽出手段、
前記抽出手段により抽出された複数の広告データに含まれる広告主の店舗それぞれの所在地情報を用いて、前記第二の管理手段により管理される地図データから、当該複数の広告主の店舗が地図内に含まれる縮尺の地図情報を出力する出力手段、
前記抽出手段により抽出された複数の広告データと、前記出力手段により出力された地図情報とを用いて、複数の広告と地図とを含む広告紙面の組版を行う組版手段
として前記組版システムを機能させることを特徴とするプログラム。
【手続補正２】
【補正対象書類名】明細書
【補正対象項目名】発明の名称
【補正方法】変更
【補正の内容】
【発明の名称】組版サーバ、その制御方法およびプログラム、広告組版システム、その制御方法およびプログラム
【手続補正３】
【補正対象書類名】明細書
【補正対象項目名】０００９
【補正方法】変更
【補正の内容】
【０００９】
本発明は、広告主の店舗を含むよう地図の縮尺を調整した広告紙面を出力可能とする。
【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】変更
【補正の内容】
【００１２】
即ち、本発明は、複数の広告と地図とを含む広告紙面の組版を行う組版サーバにおいて、広告主の店舗の所在地情報と広告の配布エリアを指定するエリア情報とを含む広告データを管理する第一の管理手段と、地図データを管理する第二の管理手段と、広告紙面を配布すべきエリアに応じて、前記第一の管理手段により管理される広告データに含まれるエリア情報を用いて、当該広告紙面に掲載する複数の広告データを抽出する抽出手段と、前記抽出手段により抽出された複数の広告データに含まれる広告主の店舗それぞれの所在地情報を用いて、前記第二の管理手段により管理される地図データから、当該複数の広告主の店舗が地図内に含まれる縮尺の地図情報を出力する出力手段と、前記抽出手段により抽出された複数の広告データと、前記出力手段により出力された地図情報とを用いて、複数の広告と地図とを含む広告紙面の組版を行う組版手段とを有することを特徴とする。
【手続補正６】
【補正対象書類名】明細書
【補正対象項目名】００１３
【補正方法】変更
【補正の内容】
【００１３】
本発明によれば、広告主の店舗を含むよう地図の縮尺を調整した広告紙面を出力可能となる。
【手続補正７】
【補正対象書類名】明細書
【補正対象項目名】００１４
【補正方法】削除
【補正の内容】